(57)【要約】  パッケージ及びパッケージを含む製品商品化システム。パッケージは、パッケージ壁を含み、これは次に、パッケージの外側から目視できる表示要素を含む。パッケージは、表示要素に動作可能に接続される、受電要素を含む。システムは、センサー、電力分配要素、並びにセンサー及び電力分配要素にそれぞれ動作可能に接続される、コントローラを含む。コントローラは、センサーの出力を、入力として受け取り、第１出力プロファイルを、電力分配要素に供給し、電力分配要素は、出力プロファイルをコントローラから受け取り、電力プロファイルを受電要素に供給する。受電要素は、特性変化プロファイルを表示要素に供給する。表示要素は、特性変化プロファイルに反応して、少なくとも１つの特性を変化する。
2010531789.tif 000002
【特許請求の範囲】
【請求項１】
ａ）パッケージ壁と、
ｂ）前記パッケージ壁と一体であり、前記パッケージの外側から目視できる表示要素と、
ｃ）前記表示要素に動作可能に接続される、受電要素と、を含み、
前記表示要素が、前記受電要素から受け取った第１特性変化プロファイルに対応して、特性を変化することを特徴とするパッケージ。
【請求項２】
前記表示要素が、識別マークの一部を含むことを特徴とする請求項１に記載のパッケージ。
【請求項３】
前記表示要素が、識別マークの少なくとも一部を要約することを特徴とする請求項１に記載のパッケージ。
【請求項４】
前記表示要素の少なくとも一部の外観が、前記受電要素からの電力の変化に対応して、第１色から第２色に変化することを特徴とする請求項１に記載のパッケージ。
【請求項５】
前記表示要素が、製品特性と関連していることを特徴とする請求項１に記載のパッケージ。
【請求項６】
前記受電要素に動作可能に接続される電源要素を更に含むことを特徴とする請求項１に記載のパッケージ。
【請求項７】
パッケージ壁と一体である制御回路を更に含み、前記制御回路は、前記受電要素と前記表示要素との間で動作可能に接続され、前記制御回路は、前記受電要素から電力を受け取ると、前記表示要素の特性の変化をプロファイルすることを特徴とする請求項１に記載のパッケージ。
【請求項８】
第２表示要素を含み、前記第２表示要素が、第２特性変化プロファイルに対応して前記受電要素から受け取った電力の変化に対応して、特性を変化することを特徴とする請求項１に記載のパッケージ。
【請求項９】
製品商品化システムであって、
ａ）目標の存在を検出するために配置されるセンサーであって、前記センサーがこのような検出をすると出力を供給する、センサー；
ｂ）パッケージであって、
ｉ）パッケージ壁と、
ｉｉ）前記パッケージ壁と一体であって、前記パッケージの外側から目視できる表示
要素と、
ｉｉｉ）前記パッケージと一体であり、前記表示要素と動作可能に接続される、受電
要素と、を含む、パッケージ；
ｃ）電力分配要素；並びに、
ｄ）前記センサー及び前記電力分配要素に動作可能に接続される、コントローラ；を含む、製品商品化システムであって、
前記コントローラは、入力として前記センサーの前記出力を受け取り、第１出力プロファイルを前記電力分配要素に供給し、前記電力分配要素が、前記出力プロファイルを前記コントローラから受け取り、電力プロファイルを前記受電要素に供給することを特徴とする製品商品化システム。
【請求項１０】
電力が、前記電力分配要素から、前記受電要素へと伝導されることを特徴とする請求項９に記載の製品商品化システム。
【請求項１１】
電力が、前記電力分配要素によって、前記受電要素に誘導されることを特徴とする請求項９に記載の製品商品化システム。
【請求項１２】
前記電力分配要素が、第１位置で、前記パッケージに動作可能に接続され、前記システムは、第２位置で、前記パッケージに動作可能に接続される、第２電力分配要素を更に含むことを特徴とする請求項９に記載の製品商品化システム。
【請求項１３】
前記パッケージが、第２表示要素を含むことを特徴とする請求項９に記載の製品商品化システム。
【請求項１４】
前記コントローラが、第２出力プロファイルを供給し、前記第１プロファイルが、第１表示要素の外観を変化し、前記第２プロファイルが、前記第２表示要素の外観を変化することを特徴とする請求項９に記載の製品商品化システム。
【請求項１５】
前記表示要素が、識別マークを含み；かつ、
前記コントローラが、前記センサーの前記出力を、入力として受け取り、特性変化出力プロファイルを前記電力分配要素に供給し、前記電力分配要素は、前記出力プロファイルを前記コントローラから受け取り、前記出力プロファイルに対応して電力を前記受電要素に供給し、前記表示要素は、前記出力プロファイルに対応して前記受電要素から電力を受け取り、前記受け取ったプロファイルに対応して特性を変化することを特徴とする請求項９に記載の製品商品化システム。
【発明の詳細な説明】
【技術分野】
【０００１】
製品を商品化するために使用される製品パッケージ、及びパッケージを組み込むシステムである。特に、相互作用的な購買環境のための、パッケージ及び商品化システムである。
【背景技術】
【０００２】
あらゆる製品カテゴリーにおいて提供される、異なる製品の量により、販売業者が潜在購入者の注意を引く方法を見出すことが困難になる。ラベル、色、形状、及び他のパッケージ特性が、買い物客の注意を受動的に引くための手段として周知である。
【発明の概要】
【発明が解決しようとする課題】
【０００３】
必要とされているのは、買い物客の注意を、販売業者の商品に引きつけるための、能動的なシステムである。
【課題を解決するための手段】
【０００４】
一態様では、パッケージは、パッケージ壁、パッケージ壁と一体でありパッケージの外側から目視できる表示要素を含む。パッケージは、表示要素に動作可能に接続される受電要素を更に含む。表示要素は、受電要素から受け取った第１特性変化プロファイルに対応して、特性を変える。
【０００５】
別の態様では、製品商品化システムは、目標の存在を検出するために配置されるセンサーを含む。センサーは、目標を検出すると出力を供給する。システムはまた、パッケージ壁を含むパッケージ、パッケージ壁と一体であり、パッケージの外側から目視できる表示要素、及び、パッケージと一体であり、表示要素と動作可能に接続される受電要素を含む。システムは、電力分配要素、及びコントローラを含む。コントローラは、センサー及び電力分配要素に、動作可能に接続される。コントローラは、センサーの出力を、入力として受け取り、出力プロファイルを電力分配要素に供給する。電力分配要素は、出力プロファイルをコントローラから受け取り、電力プロファイルを受電要素に供給する。
【図面の簡単な説明】
【０００６】
【図１】本発明の一実施形態による、パッケージの概略斜視図を提供。
【図２】本発明の一実施形態による、商品化システムの略図を提供。
【発明を実施するための形態】
【０００７】
図面に例示されるように、パッケージ１００は、パッケージ壁１１０を含む。パッケージ１００は、複数のパッケージ壁１１０を含んでもよい。パッケージは、当該技術分野において既知のものである、いかなるパッケージ材料から形成されてもよい。代表的なパッケージ材料としては、板紙、段ボール、金属ホイル、高分子材料、木材、メタロセンフィルム、及び、これらの組み合わせから形成される複合材料が挙げられる。パッケージ壁１１０は、表示要素１２０を含む。代表的な表示要素１２０としては、エレクトロルミネセント素子有機発光ダイオード、サーモクロミック素子、及びこれらの組み合わせが挙げられる。表示要素は、パッケージ壁１１０上、又はパッケージ壁１１０上に貼付されたラベル上に印刷された、要素を含み得る。表示要素１２０の配置は、表示要素をパッケージ１００の外側から可視にする。表示要素は、パッケージ１００の外側表面の一部を含んでもよく、又はパッケージ１００の特性が、パッケージ１００の透明、又は半透明の外側表面により、パッケージの内側表面上に配置される、表示要素１２０を見ることを可能にしてもよい。透明、又は半透明な表面は、パッケージ１００の１つ以上の外側表面の全部、又は一部のみを含んでもよい。
【０００８】
表示要素１２０は、識別マーク、又は識別マークの一部を含み得る。表示要素は、識別マークの輪郭若しくは周辺部、又は識別マークの一部として機能し得る。識別マークは、文字又は図形を含んでもよく、パッケージの内容物、又は他の品目に関連してもよい。識別マークは、パッケージ上に印刷されるか、パッケージの壁に成型されるか、ないしは当該技術分野において既知の別の方法でパッケージ壁に形成されてもよい。識別マークは、パッケージ内容物に関連する、又は共同マーケティング努力に関連する商標の情報を含んでもよい。識別マークは、製品特性に関連するか、製品性能特性に関連してもよい。代表的な製品特性は、新しい、より良い、より強い、より白い、より濃度の高い、無脂肪、カフェインを含まない、カロリーの低い、及び風味の表示など、文字による記述を含む。代表的な製品性能特性は、文字による記述：洗浄する、明るくする、白化する、着色する、インスタント、長持ちする、及び恒久的な、を含む。上記に示された記述の図形的な例示もまた、識別マークとしてみなされる。
【０００９】
表示要素１２０は、上記の識別マークのいずれかの、全部又は部分を含み得る。表示要素１２０は、記載される識別マークに隣接する、又は近接する周辺部を含み、識別マークの外形を描くか、又はこれを強調してもよい。
【００１０】
パッケージ１００は、受電要素１３０を更に含む。受電要素１３０は、表示要素に動作可能に接続される。表示要素１２０は、受電要素１３０から受け取った電力プロファイルに対応して、特性を変化する。電力プロファイルは、表示要素１２０における特性変化を生じ、特性変化プロファイルとして認識され得る。
【００１１】
パッケージ１００は、複数の表示要素１２０、及び複数の受電要素１３０を含み得る。単一の受電要素１３０は、特性変化プロファイルを、１つ以上の表示要素１２０に供給し得る。複数の各電力プロファイルは、各受電要素１３０によって、パッケージ１００に供給され得る。
【００１２】
各特性変化プロファイルの受け取りは、パッケージ表示要素が、電力プロファイルのシーケンスの供給により、既定のパターンに対応して、又は無作為化されたパターンに対応して、特性を変化することを、可能にし得る。
【００１３】
表示要素１２０の特性変化は、表示要素１２０の明度、色、又は両方の変化を含み得る。一実施形態では、表示要素１２０の少なくとも一部が特性変化プロファイルにより、第１色から第２色へと変化する。
【００１４】
一実施形態では、パッケージ１００は、内蔵電源（図示されない）を含む。電源（図示されない）は、受電要素１３０に、及びこれによって表示要素１２０に電力を供給する。太陽電池パネル、及び化学電池が、代表的な内臓電力要素（図示されない）である。
【００１５】
一実施形態では、パッケージ１００は、制御要素１５０を含む。制御要素１５０は、受電要素１３０と表示要素１２０の間で、動作可能に接続される。制御要素１５０は、受電要素１３０から受け取った特性変化プロファイルを変化し得る制御回路を含む。一実施形態では、制御要素１５０は、受電要素１３０から受け取った電力に対応して、特性変化プロファイルを表示要素１２０に供給する。この実施形態では、受け取った電力は、電力がオン又はオフのいずれかであることを意図する、理想化された階段関数によって示される。この受け取った電力は、次に、制御要素によって修正され、特性修正プロファイルを表示要素１２０に供給する。代表的なプロファイルとしては、正弦波、鋸歯状、電力伝達の供給と拒否の間で変化するセグメント化された階段関数、及び当該技術分野において既知の他の制御信号パターンが挙げられる。
【００１６】
一実施形態では、制御要素１５０は、複数のプロファイルを、複数の表示要素１２０に供給し、パッケージ内の一連の特性変化を統合する。
【００１７】
パッケージ１００は、商品化システム１０００の一部を含み得る。システム１０００は、パッケージ展示領域に関する所定位置の、買い物客の存在によって信号を供給するためにセンサー２００を更に含み得る。代表的なセンサー２００としては、再帰反射、及びスルービーム電磁センサー、金属のショッピングカートの存在を検出するための誘導ループセンサー、特定の位置の買い物客の重量を検出するためのロードセルベースのセンサー、及び当該技術分野において既知の他のセンサーが挙げられる。
【００１８】
システム１０００は、それに隣接して配置される１つ以上のパッケージ１００に電力を伝達するために配置される、少なくとも１つの電力分配要素３００を含む。電力伝達は、誘導、伝導、音響エネルギー伝達、放射エネルギー伝達、及び当該技術分野において既知の他のエネルギー伝達手段を介してもよい。一実施形態では、システム１０００は、複数の電力分配要素３００を含む。この実施形態では、システムは、パッケージ１００に、複数の電力プロファイルを供給する。それぞれの各電力プロファイルは、それぞれ、電力分配要素３００によって供給される。
【００１９】
一実施形態では、システム１０００は、コントローラ４００を含む。コントローラ４００は、買い物客の存在に関連してセンサー２００から信号を受信するために配置される。コントローラ４００は、センサー信号によって、電力分配要素３００に１つ以上の出力プロファイルを供給し得る。コントローラ４００は、コントローラ４００によって供給される出力プロファイルのための基礎として機能する、１つ以上のプロファイルプログラムを含み得る。それぞれのプログラムされたプロファイルは、入力信号の特性によって、出力として供給されてもよく、多様な環境条件によって、複数のセンサー２００から入力信号を供給することにより、コントローラ４００は、環境的に反応する出力プロファイルを、電力分配要素３００に供給し得る。各電力分配要素３００はそれぞれ、離れた別個の位置に配置され得る。
【００２０】
本明細書に開示される寸法及び値は、列挙された正確な数値に厳しく限定されるものとして理解されるべきではない。それよりむしろ、特に規定がない限り、こうした各寸法は、列挙された値とその値周辺の機能的に同等の範囲との両方を意味することを意図している。例えば、「４０ｍｍ」として開示した寸法は、「約４０ｍｍ」を意味することを意図したものである。
【００２１】
「発明を実施するための形態」で引用した全ての文献は、その関連部分において本明細書に参照により組み込まれ、いかなる文献の引用も、それが本発明に対する先行技術であることを認めるものと解釈すべきではない。本書における用語のいずれかの意味又は定義が、参考として組み込まれた文献における同一の用語のいずれかの意味又は定義と相反する限りにおいては、本書においてその用語に与えられた意味又は定義が適用されるものとする。
【００２２】
本発明の特定の諸実施形態を図示し、記載したが、本発明の趣旨及び範囲から逸脱することなく他の様々な変更及び修正を実施できることは当業者には自明であろう。したがって、本発明の範囲内にあるそのような全ての変更及び修正を、添付の特許請求の範囲で扱うものとする。
【図１】
2010531789.tif 000003
【図２】
2010531789.tif 000004
【国際調査報告】
2010531789.tif 000005
2010531789.tif 000006